(57)【要約】【課題】圧壊強度および破断強度を保証すると共に、雄ネジと雌ネジとの螺合が弛むおそれを抑えることができる地山埋設鋼管を提供する。【解決手段】地山埋設鋼管１０は、互いに直列に連結されて地山に埋設されるものであって、前端面１２から所定の範囲に形成された拡径部２０と、拡径部２０の内面に形成された雌ネジ２１と、拡径部２０の内面と本体部１１の内面との間に形成され、前端面１２から遠ざかる程内径が減少する内面テーパ２２と、後端面１３から所定の範囲の外面に形成された外面径小部３３と、外面径小部３３に形成された外面テーパ３２と、外面径小部３３に繋がって形成された雄ネジ３１とを有し、一方の地山埋設鋼管１０（地山埋設鋼管２）の雄ネジ３１と他方の地山埋設鋼管１０（地山埋設鋼管３）の雌ネジ２１とが螺合して、前者の外面テーパ３２と後者の内面テーパ２２とが押し合う。【選択図】図３
2019056285.tif 000002
【特許請求の範囲】
【請求項１】
互いに直列に連結されて地山に埋設される地山埋設鋼管であって、
一方の端面から所定の範囲に形成された拡径部と、
前記拡径部の内面に形成された雌ネジと、
一方の端面と前記雌ネジとの間に形成された内面径大部と、
前記拡径部の内面に繋がって形成され、一方の端面から遠ざかる程内径が減少する内面テーパと、
他方の端面から所定の範囲に形成された雄ネジとを有し、
一方の地山埋設鋼管の前記雄ネジと他方の地山埋設鋼管の前記雌ネジとが螺合して、一方の地山埋設鋼管の前記雄ネジと他方の地山埋設鋼管の前記内面テーパとが押し合うことを特徴とする地山埋設鋼管。
【請求項２】
互いに直列に連結されて地山に埋設される地山埋設鋼管であって、
一方の端面から所定の範囲に形成された拡径部と、
前記拡径部の内面に形成された雌ネジと、
一方の端面と前記雌ネジとの間に形成された内面径大部と、
前記拡径部の内面に繋がって形成され、一方の端面から遠ざかる程内径が減少する内面テーパと、
他方の端面から所定の範囲の外面に形成された外面径小部と、
前記外面径小部に繋がって形成された雄ネジとを有し、
一方の地山埋設鋼管の前記雄ネジと他方の地山埋設鋼管の前記雌ネジとが螺合して、一方の地山埋設鋼管の前記外面径小部と他方の地山埋設鋼管の前記内面テーパとが押し合うことを特徴とする地山埋設鋼管。
【請求項３】
前記外面径小部は、他方の端面寄りに他方の端面に近づく程外径が減少する外面テーパを具備し、前記内面テーパの内径が減少する割合は、前記外面テーパの外径が減少する割合よりも大きく、一方の地山埋設鋼管の前記内面テーパと、他方の地山埋設鋼管の前記外面テーパと他方の端面との角部が押し合うことを特徴とする請求項２記載の地山埋設鋼管。
【請求項４】
前記雄ネジおよび前記雌ネジが、台形ネジまたはネジ山部およびネジ底部が断面円弧状に形成された変形台形ネジであることを特徴とする請求項１ないし３の何れか１項に記載の地山埋設鋼管。
【発明の詳細な説明】
【技術分野】
【０００１】
本発明は地山埋設鋼管、特に、地山や地盤に埋設される地山埋設鋼管に関する。
【背景技術】
【０００２】
従来、地山や地盤（以下まとめて「地山」と称す）に埋設される鋼管として、たとえば、地山に地山補強材を注入するための鋼管や、地山から水を排出するための鋼管等が知られている。
たとえば、脆弱な地山にトンネルを施工する際、切羽前方を安定にした状態で掘削を開始する「ＡＧＦ工法」等の工法において使用される。かかる工法は、切羽の前方斜め上方に略アーチ状に並ぶように複数の鋼管（以下「連結鋼管」と称す）を打設するものであって、連結鋼管は互いに直列に連結された複数の鋼管（以下、該鋼管それぞれを「地山埋設鋼管」と称す）によって形成されている。
すなわち、一本目（先頭）の地山埋設鋼管は、その前端に掘削装置が設置され、掘削に伴って形成される掘削穴に、掘削に追従して引き込まれる。そして、所定の距離だけ引き込まれた時点で、一本目の地山埋設鋼管の後端に二本目（中間）の地山埋設鋼管の前端が連結され、掘削に追従して両者は掘削穴に引き込まれる。以降同様に、三本目（中間）の地山埋設鋼管と四本目（中間または後尾）の地山埋設鋼管とが連結され、連結鋼管として掘削穴に引き込まれる。
【０００３】
そして、連結鋼管は、掘削（引き込まれ）が終了したところで、後端から地山補強剤（安定剤ないし固定剤に同じ）を内部に供給して、地山補強剤を地山埋設鋼管の側面に設けられた貫通孔から地山に注入することで「補強剤注入用」にする。あるいは、補強剤注入用に代えて、地山補強剤等を供給することなく内部に貫通孔から地下水を取り込むことで「水抜き用」にする。
なお、連結鋼管の長さ、連結される地山埋設鋼管の長さや本数は限定されるものではなく、また、連結鋼管の姿勢は水平、水平に対して傾斜あるいは鉛直の場合がある。さらに、貫通孔を設けないで、内部を容器にしたり、内部を流路（掘削装置を撤去する）にしたりする場合がある。
【０００４】
地山埋設鋼管は、地山の圧力に耐える圧壊強度と、引き込まれる際に互いが離隔しない強度、すなわち、連結部が破断しない破断強度と、施工時のハンドリングや引き込を容易にするための軽量化とが要求されている。
そして、地山埋設鋼管同士の連結を、一方の管端に形成した雄ネジと他方の管端に形成した雌ネジとの螺合によった場合、雄ネジと雌ネジとは地山埋設鋼管の肉厚の略中央において螺合するため、雄ネジ部における肉厚（ネジ谷底から内面までの距離）および雌ネジ部における肉厚（ネジ谷底から外面までの距離）が小さくなる。
したがって、破断強度が低下するため、また、肉厚を厚くして破断強度を保証しようとすると、重くなったりするため、これらを解消するための発明が開示されている（例えば、特許文献１参照）。
【先行技術文献】
【特許文献】
【０００５】
【特許文献１】特開２０１２−１４９４５８号公報（第５−７頁、図２）
【発明の概要】
【発明が解決しようとする課題】
【０００６】
特許文献１に開示された発明（地山埋設鋼管に相当する）は、一方の管端部の外面に雄ネジを形成し、他方の管端部を拡径して、拡径した部分の内面に、前記雄ネジに螺合する雌ネジを形成したものである。
このため、雄ネジ部における肉厚および雌ネジ部における肉厚を所定の厚さにして、破断強度を向上させることや、破断強度の向上により、地山埋設鋼管の肉厚を薄くすること（軽量化）ができるとしている。なお、特許文献１に説明された実施の形態では、地山埋設鋼管は、外径が７６．３ｍｍで肉厚が４．２ｍｍという比較的小径の鋼管であって、拡径された部分の外径は８１．７ｍｍで肉厚が３．９ｍｍである。
【０００７】
しかしながら、掘削装置に打撃や回転を付与しながら掘削を進める場合、地山に多数回の打撃や回転を繰り返し付与したり、掘削装置の昇降を繰り返したりするため、そのときの振動が雄ネジと雌ネジとの螺合部に繰り返し伝達される。そうすると、特許文献１に開示された地山埋設鋼管では、拡径部は拡径されていない部分に比較して、外径が大きくなると共に肉厚は小さく（薄く）なって断面剛性が低下するため、雄ネジと雌ネジとの螺合が弛むおそれがあるという問題がある。
特に、より外径の大きな鋼管（例えば、８９．１ｍｍや１１４．３ｍｍ等）に適用した場合や、より肉厚の薄い鋼管（例えば、３．９ｍｍ等）に適用した場合には、拡径部の外径はさらに大きくなると共に肉厚はさらに薄くなるため、かかる問題が顕著になる。
【０００８】
本発明は、かかる問題を解消するものであって、圧壊強度および破断強度を保証すると共に、雄ネジと雌ネジとの螺合が弛むおそれを抑えることができる地山埋設鋼管を提供することにある。
【課題を解決するための手段】
【０００９】
（１）本発明に係る地山埋設鋼管は、互いに直列に連結されて地山に埋設される地山埋設鋼管であって、一方の端面から所定の範囲に形成された拡径部と、前記拡径部の内面に形成された雌ネジと、一方の端面と前記雌ネジとの間に形成された内面径大部と、前記拡径部の内面に繋がって形成され、一方の端面から遠ざかる程内径が減少する内面テーパと、他方の端面から所定の範囲に形成された雄ネジとを有し、
一方の地山埋設鋼管の前記雄ネジと他方の地山埋設鋼管の前記雌ネジとが螺合して、一方の地山埋設鋼管の前記雄ネジと他方の地山埋設鋼管の前記内面テーパとが押し合うことを特徴とする。
（２）また、互いに直列に連結されて地山に埋設される地山埋設鋼管であって、一方の端面から所定の範囲に形成された拡径部と、前記拡径部の内面に形成された雌ネジと、一方の端面と前記雌ネジとの間に形成された内面径大部と、前記拡径部の内面に繋がって形成され、一方の端面から遠ざかる程内径が減少する内面テーパと、他方の端面から所定の範囲の外面に形成された外面径小部と、前記外面径小部に繋がって形成された雄ネジとを有し、
一方の地山埋設鋼管の前記雄ネジと他方の地山埋設鋼管の前記雌ネジとが螺合して、一方の地山埋設鋼管の前記外面径小部と他方の地山埋設鋼管の前記内面テーパとが押し合うことを特徴とする。
（３）また、前記外面径小部は、他方の端面寄りに他方の端面に近づく程外径が減少する外面テーパを具備し、前記内面テーパの内径が減少する割合は、前記外面テーパの外径が減少する割合よりも大きく、一方の地山埋設鋼管の前記内面テーパと、他方の地山埋設鋼管の前記外面テーパと他方の端面との角部とが押し合うことを特徴とする。
（４）さらに、前記雄ネジおよび前記雌ネジが、台形ネジまたはネジ山部およびネジ底部が断面円弧状に形成された変形台形ネジであることを特徴とする。
【発明の効果】
【００１０】
本発明に係る地山埋設鋼管は前記構成であるから、以下の作用効果を奏する。
（ａ）雌ネジが形成された部分の肉厚（ネジ谷底と拡径部の外面までの距離）および雄ネジが形成された部分の肉厚（ネジ谷底と内面までの距離）が、拡径部を形成しないで雌ネジおよび雄ネジを形成した場合に比較して増大するため、互いに螺合した雌ネジと雄ネジとを管軸方向に引き離そうとしたときの破断強度が向上する。
（ｂ）また、破断強度が向上することから、破断強度および圧壊強度をそれぞれ所定の値に担保することができる値にまで、肉厚を薄くすることが可能になるため、軽量化が促進される。
（ｃ）また、雄ネジと内面テーパとは押し合うため、あるいは外面径小部と内面テーパとは押し合うため、雄ネジのネジ面（斜面）と雌ネジのネジ面（斜面）との接触面圧が増大すると共に、雄ネジと内面テーパとの間にも摩擦力が、あるいは外面径小部と内面テーパとの間にも摩擦力が作用することによって、雄ネジと雌ネジとの螺合が弛み難くなる。
（ｄ）また、内面径大部を有するから、雄ネジまたは内径径小部の挿入が容易になり、作業性が向上する。
（ｅ）さらに、雄ネジおよび雌ネジが台形ネジまたは変形台形ネジ（所謂「ｒネジ」や「ロープネジ」に同じ）であるから、螺合が容易で破断強度が高い。
【図面の簡単な説明】
【００１１】
【図１】本発明の実施の形態１に係る地山埋設鋼管を説明する使用状況を示す側面視の断面図である。
【図２】本発明の実施の形態１に係る地山埋設鋼管を説明する側面図である。
【図３】図２に示す地山埋設鋼管の使用状況における一部を示す側面図である。
【図４】本発明の実施の形態２に係る地山埋設鋼管を説明する側面図である。
【図５】図４に示す地山埋設鋼管の使用状況における一部を示す側面図である。
【図６】本発明の実施の形態３に係る地山埋設鋼管を説明する使用状況における一部を示す側面図である。
【図７】図６に示す地山埋設鋼管のネジの変形例を説明するものであって、（ａ）は一部を示す側面図、（ｂ）は一部を拡大して示す側面図である。
【発明を実施するための形態】
【００１２】
以下、発明を実施するための形態（以下、「実施の形態１、２」という）を、図面を参照しつつ説明する。なお、各図は模式的に描かれたものであって、本発明は図示された形態（部位の形状や個数等）に限定されるものではない。また、図面が煩雑にならないようにするため、一部の部材または一部の符号の記載を省略する場合がある。
【００１３】
［実施の形態１］
図１〜図３は本発明の実施の形態１に係る地山埋設鋼管を、ＡＧＦ工法における「補強剤注入用の鋼管」を例にして説明するものであって、図１は使用状況を示す側面視の断面図、図２は側面図、図３は使用状況における一部を示す側面図である。なお、図２および図３は、一点鎖線にて示す中心線よりも上方を断面にしている。
【００１４】
（連結管）
図１において公知のＡＧＦ工法に使用される連結鋼管９は補強剤注入用の鋼管であって、地山７に形成された掘削穴８に設置される。たとえば、全長が１２．５ｍ程度であるため、３ｍ強の地山埋設鋼管１、２、３、４を直列に４本連結して形成されている。なお、連結鋼管９の全長や連結される地山埋設鋼管１、２等の長さおよび本数は限定されるものではない。
このとき、一本目（先頭）の地山埋設鋼管１の前端は掘削装置５に設置され、掘削に追従して形成される掘削穴８に引き込まれる。そして、地山埋設鋼管１の後端に二本目（中間）の地山埋設鋼管２の前端が連結され、掘削に追従して形成される掘削穴８に引き込まれる。以降同様に、地山埋設鋼管２の後端に三本目（中間）の地山埋設鋼管３の前端が連結され、地山埋設鋼管３の後端に四本目（後尾）の地山埋設鋼管４の前端が連結され、それぞれ掘削穴８に引き込まれる。
そして、掘削装置５の一部が回収された後、地山埋設鋼管４の後端に地山補強剤を注入するための注入装置６が設置される。
【００１５】
なお、掘削装置５は、互いに着脱可能なインナービット（パイロットビット）とアウタービット（リングビット）とを具備する公知の二重管式掘削装置であって、掘削完了後、インナービット（図示しない）が回収されるため、図１に示す掘削装置５は地山７に残留したアウタービットである。
また、注入装置６は、地山埋設鋼管４の管端部を閉塞する閉塞手段、地山補強剤を輸送する輸送ホース、および地山補強剤に圧力を付与する圧送手段等を具備する（何れも図示しない）。ただし、本発明は、掘削装置５の構造および注入装置６の構造を限定するものではない。
なお、地山埋設鋼管３および地山埋設鋼管４は同じものであるから、以下の説明において、それぞれを「地山埋設鋼管１０」と総称する。また、地山埋設鋼管１および地山埋設鋼管４は地山埋設鋼管１０の一部を変更したものである（これについては別途説明する）。
【００１６】
（地山埋設鋼管）
図２において、地山埋設鋼管１０は、一方の端面（以下「前端面」と称す）１２から距離ｅの範囲に形成された内面径大部２４と、内面径大部２４から距離ａの範囲に形成された拡径部２０と、拡径部２０の内面に形成された雌ネジ２１と、拡径部２０の内面に繋がって形成され、前端面１２から遠ざかる程内径が減少する内面テーパ２２と、内面テーパ２２に繋がった内面を具備する本体部１１とを有している。
すなわち、内面径大部２４、拡径部２０および内面テーパ２２は内径および外径を拡大する塑性変形によって形成されたもの（所謂「エキスパンド」）であって、アプセットされないため、減肉している。
また、雌ネジ２１と内面テーパ２２との間に、ネジ逃げ部または不完全ネジ部（以下まとめて「内面溝」と称す）２３が形成されている。
拡径部２０の内径（正確には、雌ネジ２１の歯先円の直径）および外径はそれぞれ本体部１１の内径および外径よりも大きくなり、拡径部２０の肉厚（正確には、雌ネジ２１の歯先と拡径部２０の外面との距離）は本体部１１の肉厚よりも小さく（薄く）なっている。
なお、本体部１１の内面と内面テーパ２２とは滑らかに繋がって、内面テーパ２２と内面溝２３とも滑らかに繋がっているが、理解を容易にするために図２および図３において、これらの境界に実線を描いている。
なお、内面径大部２４の内径は、雌ネジ２１のネジ谷径に同じまたはネジ谷径よりも大きくなっている。また、内面径大部２４は前端面１２に向かって内径が拡大するテーパ面であってもよい。
【００１７】
また、他方の端面（以下「後端面」と称す）１３から距離ｂの範囲の外面にネジ逃げ部または不完全ネジ部（以下まとめて「外面径小部」と称す）３３が形成され、外面径小部３３には後端面１３に近づく程外径が減少する外面テーパ３２が形成されている。そして、外面径小部３３に繋がって雄ネジ３１が形成され、雄ネジ３１に繋がってネジ逃げ部または不完全ネジ部（以下まとめて「外面溝」と称す）３４が形成されている。なお、外面径小部３３（図２においては外面テーパ３２）と後端面１３とが交差する角部（正確には、断面略円弧状に面取りされている範囲）を「後端角部３５」と称す。
さらに、本体部１１には、間隔を空けて複数の貫通孔１４が形成されている。貫通孔１４は地盤補強剤（図示しない）を地山７（図１参照）に注入するための吐出口として機能する。
【００１８】
内面テーパ２２および外面テーパ３２は何れも円錐台状であって、内面テーパ２２のテーパ角度（以下「内面テーパ角度」と称す）ｃは、外面テーパ３２のテーパ角度（以下「外面テーパ角度」と称す）ｄよりも大きくなっている（ｃ＞ｄ）。
なお、外面径小部３３に形成された外面テーパ３２は、円錐台状に代えて、互いに外径が相違する円筒を複数並べた階段状に形成しても、あるいは、外面テーパ３２を形成しないで、外面径小部３３と後端面１３とを断面略円弧の面取りによって繋いでもよい。
なお、内面溝２３および外面溝３４の形態は限定するものではなく、雌ネジ２１および雄ネジ３１をそれぞれ形成可能にするものであれば、何れの形態であってもよく、あるいは、形成可能であれば、設けなくてもよい。
【００１９】
（連結）
図３において、一方の地山埋設鋼管１０（地山埋設鋼管２（図１参照））の後端に他方の地山埋設鋼管１０（地山埋設鋼管３（図１参照））の前端が連結されている。すなわち、前者の雄ネジ３１に後者の雌ネジ２１が螺合し、前者の後端角部３５と後者の内面テーパ２２とが押し合っている。
このため、地山埋設鋼管２では、雄ネジ３１は管軸方向の圧縮力を受け、外面テーパ３２の範囲は半径方向の圧縮力（縮径力）とを受ける。一方、地山埋設鋼管３では、雌ネジ２１は管軸方向の引張力を受け、内面テーパ２２の範囲は半径方向の引張力（拡径力）を受けることになる。
そして、本発明は押し付ける力の大きさ（螺合する際の締め込みトルクの大きさ）を限定するものではない。したがって、押し付ける力が大きい場合、後端角部３５および内面テーパ２２の一方または両方は塑性変形して、当接範囲が拡大したり、内面テーパ２２に食い込んだりすることになる。また、地山埋設鋼管２の後端面１３に近い範囲の内径は極僅か縮小するものの、掘削作業に影響することはない。
【００２０】
そして、拡径部２０の長さである距離ａは、前記連結を可能にする範囲で適宜選定され、外面径小部３３の長さである距離ｂは、前記押し合いを可能にする範囲で適宜選定されるものである。
なお、互いに螺合した雄ネジ３１と雌ネジ２１とは、通常それぞれのネジ山とネジ谷との間に極僅かの隙間が形成され、雄ネジ３１のネジ面（後端面１３側の斜面）と雌ネジ２１のネジ面（前端面１２とは反対側の斜面）との間にも極僅かの隙間が形成されるものであるが、図３においてかかる隙間を描いていない。また、雄ネジ３１および雌ネジ２１を台形ネジとして描いているが、本発明はネジ形状をこれに限定するものではなく、何れのネジであってもよい。
【００２１】
また、内面テーパ角度ｃは外面テーパ角度ｄよりも大きな値になっているが、本発明はこれに限定するものでなく、両者が同じ値であってもよい。このとき、内面テーパ２２と外面テーパ３２とは広い範囲で当接することになる。
なお、図３においては、一方の地山埋設鋼管１０（地山埋設鋼管２）の雄ネジ３１および外面溝３４が、他方の地山埋設鋼管１０（地山埋設鋼管３）の内面径大部２４に包囲され、前端面１２から露出していないが、本発明はこれに限定するものではない。
すなわち、雌ネジ２１および雄ネジ３１それぞれの長さ（螺旋の回数）は同じでも相違してもよく、それぞれ適宜選定されるものである。このため、外面溝３４の本体部１１寄りの端が、前端面１２に一致したところで、後端角部３５が内面テーパ２２に押し当てられるようにしてもよい。
【００２２】
再び図１において、一本目（先頭）の地山埋設鋼管１は、地山埋設鋼管１０の拡径部２０を撤去して、前端面１２の近くに掘削装置５の一部を設置するための構造（図示しない）を設けたものに同じである。
また、四本目（後尾）の地山埋設鋼管４は、地山埋設鋼管１０の後端面１３の近くに注入装置６の一部を設置するための構造（図示しない）を設けたものに同じであって、雄ネジ３１等をそのまま残す場合と、雄ネジ３１等を撤去する場合とがある。
なお、以上は、地山埋設鋼管１０を補強剤注入用の鋼管にした場合を例にして説明しているが、本発明はこれに限定するものではない。たとえば、地山埋設鋼管１０の後端に注入装置６を設置しないで管内に補強剤は供給しないまま「水抜き用の鋼管」にしてもよい。このとき、貫通孔１４は水（地下水）の浸入口として機能し、その形状は円形に限定されるものではなく、長孔やスリットであってもよく、埋設された姿勢は、水平、水平に対して傾斜あるいは鉛直の場合がある。
【００２３】
（作用効果）
地山埋設鋼管１０同士は前記のように連結されるから、以下の作用効果を奏する。
（ａ）雌ネジ２１部の肉厚（ネジ谷底と拡径部２０の外面までの距離）および雄ネジ３１部の肉厚（ネジ谷底と内面までの距離）が、拡径部２０を形成しないで雌ネジ２１および雄ネジ３１を形成した場合に比較して増大するため、互いに螺合した雌ネジ２１と雄ネジ３１とを管軸方向に引き離そうしたときの破断強度が向上する。
（ｂ）また、破断強度が向上することから、破断強度および圧壊強度それぞれを所定の値に担保することができる値にまで、本体部１１の肉厚を薄くすることが可能になるため、軽量化が促進される。
（ｃ）さらに、外面径小部３３（後端角部３５）と内面テーパ２２とは押し合うため、雄ネジ３１のネジ面（後端面１３とは反対側の斜面）と雌ネジ２１のネジ面（前端面１２側の斜面）との接触面圧が増大すると共に、外面径小部３３と内面テーパ２２との間にも摩擦力が作用することによって、雄ネジ３１と雌ネジ２１との螺合が弛み難くなる。
（ｄ）さらに、雌ネジ２１と雄ネジ３１とを螺合する際、外面径小部３３と内面テーパ２２とが押し合うことによって締め込みトルクが上昇するため、雌ネジ２１と雄ネジ３１とが設計通りに螺合したことを確認することができ、螺合不良（締め込み不足）がなくなる。
（ｅ）さらに、内面径大部２４が形成されているから、外面テーパ３２の挿入が容易になり、作業性が向上する。
（ｆ）なお、前記摩擦力とは、外面径小部３３と内面テーパ２２との押し合いによって両者の接触面に塑性変形（カジリ等）が生じた場合には、かかる塑性変形に打ち勝って弛もうとする力を含んでいる。
【００２４】
［実施の形態２］
図４および図５は本発明の実施の形態２に係る地山埋設鋼管を説明すものであって、図４は一部を示す側面図、図５は使用状況における一部を示す側面図である。なお、実施の形態１と同じ部分または相当する部分には同じ符号を付して説明を省略する。図４は、一点鎖線にて示す中心線よりも上方を断面にしている。
図４において、地山埋設鋼管４０は、地山埋設鋼管１０において外面テーパ３２を撤去して、外面径小部３３と後端面１３との角部を後端角部３６にしたものであって、これを除く部分は地山埋設鋼管１０に同じである。
【００２５】
このため、地山埋設鋼管４０（正確には地山埋設鋼管２）の後端と地山埋設鋼管４０（正確には地山埋設鋼管３）の前端とを連結した際、雄ネジ３１と雌ネジ２１とが螺合し、後端角部３６は内面テーパ２２に当接して、外面テーパ３２の範囲は管軸方向の圧縮力を受けると共に、半径方向の圧縮力（縮径力）を受ける。
このとき、内面径大部２４が形成されているから、外面径小部３３の挿入が容易になっている。特に、内面径大部２４を前端面１２に向かって拡大するテーパ面にしているので、挿入がさらに容易になっている。
したがって、地山埋設鋼管４０は地山埋設鋼管１０と同様に、雌ネジ２１と雄ネジ３１との破断強度が向上し、軽量化が促進されると共に、雄ネジ３１と雌ネジ２１との螺合が弛み難くなるという作用効果を奏する。なお、地山埋設鋼管４０の後端面１３に近い範囲の内径は極僅かに縮小するものの、掘削作業に影響することはない。
なお、外面径小部３３は円筒状で、軸方向で同じ外径（雄ネジ３１のネジ谷径に同じまたはネジ谷径よりも小さい）であるが、後端角部３６には面取り（Ｃ面取りまたはＲ面取り）が設けられている。
【００２６】
［実施の形態３］
図６は本発明の実施の形態４に係る地山埋設鋼管を説明する使用状況における一部を示す側面図であって、一点鎖線にて示す中心線よりも上方を断面にしている。なお、実施の形態１と同じ部分または相当する部分には同じ符号を付して一部説明を省略する（図３参照）。
図６において、地山埋設鋼管６０は、地山埋設鋼管４０（図４参照）において外面径小部３３（外面テーパ３２を含む）を撤去して、後端面１３に到達する雄ネジ３１を形成したものである。そして、連結鋼管９は、一方の地山埋設鋼管６０の雄ネジ３１が他方の地山埋設鋼管６０の雌ネジ２１に螺合している。
【００２７】
このとき、後端面１３に近い雄ネジ３１は内面溝２３に浸入し、後端面１３と雄ネジ３１とが交差する角部（以下「雄ネジ端角部３７」と称す）が内面テーパ２２に押し付けられている。
なお、雄ネジ３１は螺旋状であるため、雄ネジ端角部３７は、ネジ山との角部、ネジ面（斜面）との角部あるいはネジ底との角部に形成されるものの、外径がより大きいネジ山との角部が内面テーパ２２に押し付けられることになる。また、雄ネジ端角部３７は面取りされている場合と、面取りされていない場合とがある。
【００２８】
（作用効果）
地山埋設鋼管６０同士は前記のように連結されるから、地山埋設鋼管１０（実施の形態１）と同樣の作用効果を奏する。すなわち、破断強度が向上して軽量化が促進され、雄ネジ３１と雌ネジ２１との螺合が弛み難くなる。
特に、雄ネジ３１は、ネジ山との角部において内面テーパ２２に押し付けられ、ネジ底との角部は内面テーパ２２に押し付けられないため、所謂「片当たり状態」になる。そうすると、局所的な塑性変形（カジリ）が発生したり、円周方向で不均一な力がネジ面に作用したりして、さらに螺合が弛み難くなる。但し、雄ネジ３１（雌ネジ２１も同じ）の条数によっては片当たり状態が生じない場合がある。
また、締め込みトルクの上昇によって、設計通りに螺合したことを確認することができ、螺合不良（締め込み不足）がなくなる。さらに、外面径小部３３（ネジ逃げ部等）を具備しないことによって、加工が容易になると共に、施工前に雄ネジ３１を保護するプロテクタ（図示しない）を短くすることができるため、製造コストが安価になる。
さらに、内面径大部２４が形成されているから、雄ネジ３１の挿入が容易になっている。特に、内面径大部２４を前端面１２に向かって拡大するテーパ面にしているので、挿入がさらに容易になっている。
【００２９】
（ネジの変形例）
図７は図６に示す地山埋設鋼管のネジの変形例を説明するものであって、（ａ）は一部を示す側面図、（ｂ）は一部を拡大して示す側面図である。
図７に示す雄ネジ８０は、図６における雄ネジ３１に代わるものである。すなわち、雌ネジ２１および雄ネジ３１は何れも台形ネジであったが、雄ネジ８０は変形台形ネジ（所謂「ｒネジ」や「ロープネジ」に同じ）である。すなわち、台形ネジの斜面に相当する範囲の一部（両端矢印の先端が示す寸法補助線の間の範囲）にネジ直線部８２を有し、台形ネジの直線状のネジ山およびネジ底に相当する範囲に、ネジ直線部８２になだらかに連結する円弧状のネジ山円弧部８１およびネジ底円弧部８３を有している。なお、図示しない雌ネジも雄ネジ８０に螺合する変形台形ネジである。
したがって、変形台形ネジである雄ネジ８０（雌ネジも同じ）に変更した地山埋設鋼管６０は、螺合がさらに容易になるため、作業性がさらに向上する。
なお、地山埋設鋼管１０（実施の形態１）および地山埋設鋼管４０（実施の形態２）においても変形台形ネジに変形することができ、かかる変形によって作業性を向上させることができる。
【００３０】
以上、本発明を実施の形態１〜３をもとに説明した。この実施の形態１〜３は例示であって、それらの各構成要素及びその組合せにいろいろな変形例が可能なこと、またそうした変形例も本発明の範囲にあることは当業者に理解されるところである。
すなわち、貫通孔１４を管外から管内に流体を流入させるための開口部として使用する水抜き用の鋼管や、貫通孔１４を有しないで管内空間を所定の目的に使用する鋼管は、何れも地山埋設鋼管１０である。
【産業上の利用可能性】
【００３１】
本発明は以上であるから、ＡＧＦ工法等に限定されることなく、各種工法における地山埋設鋼管として、さらに、各種水抜き用の鋼管や所定の目的の各種鋼管として広く利用することができる。
【符号の説明】
【００３２】
１：地山埋設鋼管（先頭）
２：地山埋設鋼管（中間）
３：地山埋設鋼管（中間）
４：地山埋設鋼管（後尾）
５：掘削装置
６：注入装置
７：地山
８：掘削穴
９：連結鋼管
１０：地山埋設鋼管（実施の形態１）
１１：本体部
１２：前端面
１３：後端面
１４：貫通孔
２０：拡径部
２１：雌ネジ
２２：内面テーパ
２３：内面溝
３１：雄ネジ
３２：外面テーパ
３３：外面径小部
３４：外面溝
３５：後端角部
３６：後端角部
３７：雄ネジ端角部
４０：地山埋設鋼管（実施の形態２）
６０：地山埋設鋼管（実施の形態３）
８０：雄ネジ
８１：ネジ山円弧部
８２：ネジ直線部
８３：ネジ底円弧部
ａ：雌ネジの内面径大部からの距離
ｂ：外面径小部の後端面からの距離
ｃ：内面テーパ角度
ｄ：外面テーパ角度
ｅ：内面径大部の前端面からの距離
【図１】
2019056285.tif 000003
【図２】
2019056285.tif 000004
【図３】
2019056285.tif 000005
【図４】
2019056285.tif 000006
【図５】
2019056285.tif 000007
【図６】
2019056285.tif 000008
【図７】
2019056285.tif 000009